(57)【要約】【課題】複数の塗色をそれらの質感がわかるように配置した塗色の質感マップのデータ構造が記録されたコンピュータ読取可能な記録媒体を提供する。【解決手段】記録媒体に記録されたデータ構造は、塗色の色及び質感を表現し得る２つのパラメータを座標軸とする２次元平面上に、複数の塗色を配置した塗色の質感マップを作成するためのデータ構造であり、２次元平面上の座標を表す２つのパラメータの値と、塗色の色を特定する情報とが対応するように構成され、パラメータの値が、演算装置が、記録装置に記録された、複数の塗色の各々に関して測定された複数の受光角度における分光反射率を用いて少なくとも３つの特徴量を求め（Ｓ１〜Ｓ３）、演算装置が、少なくとも３つの特徴量を含むデータ群を主成分分析し、特徴量の１次式である第１主成分及び第２主成分を求め（Ｓ４）、演算装置が複数の塗色の各々に関して求めた、第１主成分及び第２主成分の値である。【選択図】図２
2011227098.tif 000002
【特許請求の範囲】
【請求項１】
塗色の質感マップのデータが記録されたコンピュータ読取可能な記録媒体であって、前記データの構造が、多角度分光光度計による分光反射率を演算装置が演算することにより得られるもので、塗色の色及び質感を表現し得る２つのパラメータを２つの座標軸とする２次元平面上に、複数の塗色を配置した塗色の質感マップを作成するためのデータ構造であり、
前記２次元平面上の座標を表す２つの前記パラメータの値と、塗色の色を特定する情報とが対応するように構成され、
前記演算装置によって求められる前記パラメータの値が、
前記演算装置が、記録装置に記録された、複数の前記塗色の各々に関して測定された複数の受光角度における前記分光反射率を用いて少なくとも３つの特徴量を求め、
前記演算装置が、少なくとも３つの前記特徴量を含むデータ群を主成分分析し、前記特徴量の１次式である第１主成分及び第２主成分を求め、
前記演算装置が複数の前記塗色の各々に関して求めた、
前記第１主成分及び第２主成分の値であり、
前記特徴量が、ＩＶ値、ＳＶ値、ＦＦ値、ｃＦＦ値、メタル感指数、深み感指数、鮮明度からなる群の中から選択される何れかであり、
前記ＩＶ値が、偏角が１５度の方向から測定した分光反射率から求めたＸＹＺ表色系におけるＹ値であり、
前記ＳＶ値が、偏角が４５度の方向から測定した分光反射率から求めたＸＹＺ表色系におけるＹ値であり、
前記ＦＦ値が、偏角が１５度の方向から測定した分光反射率から求めたＸＹＺ表色系におけるＹ値をＹ15とし、偏角が４５度の方向から測定した分光反射率から求めたＸＹＺ表色系におけるＹ値をＹ45として、２×（Ｙ15−Ｙ45）／（Ｙ15＋Ｙ45）によって求められ、
前記ｃＦＦ値が、偏角が１５度の方向から測定した分光反射率から求めたＬ*ｃ*ｈ表色系におけるｃ*値をｃ*15とし、偏角が４５度の方向から測定した分光反射率から求めたＬ*ｃ*ｈ表色系におけるｃ*値をｃ*45として、２×（ｃ*15−ｃ*45）／（ｃ*15＋ｃ*45）によって求められ、
前記メタル感指数が、前記Ｙ15及びＦＦから、Ｙ15×ＦＦ２によって求められ、
前記深み感指数が、代表角度での分光反射率から求めたＬ*ｃ*ｈ表色系におけるＬ*値及びｃ*値をそれぞれＬ*R及びｃ*Rとし、これらを用いてｃ＊R／Ｌ＊Rによって求められ、
前記鮮明度が、前記Ｌ*R及びｃ*Rを用いてｓｑｒｔ（Ｌ＊R2＋ｃ＊R2）によって求められることを特徴とする、塗色の質感マップのデータ構造が記録されたコンピュータ読取可能な記録媒体。
【発明の詳細な説明】
【技術分野】
【０００１】
本発明は、複数の塗色を、その質感に応じて平面上に配置した塗色の質感マップ、その作成方法、作成プログラム、作成システム及びデータ構造が記録されたコンピュータ読取可能な記録媒体に関する。
【背景技術】
【０００２】
工業製品の商品力を高めるためには、製品の基本性能や機能だけでなく、外観のデザインが重要である。外観のデザインを構成する要素として色彩の役割は大きい。一方、工業製品には、製品の保護や美粧性の付与を目的として、塗装が施される場合が多い。そこで、デザイナーは、工業製品の機能や特性、顧客の要求等を勘案して塗色を決定する必要がある。
【０００３】
顧客（メーカーの設計者など）が工業製品の色彩に求める質感は多様である。顧客の要望は、例えば、「金属感と透明感があって、さらに硬質な印象を与えるもの」のような抽象的な言葉で提示される場合が多い。それを受けて、塗料会社のデザイナーは経験や知見に基づいて塗色を決定することとなるが、このような抽象的な言葉による表現は、受け取る者によって解釈が異なる場合があり、メーカーの設計者の意図と塗色を設計する塗料会社のデザイナーの解釈とが異なっていれば、工業製品の塗色を決定することは困難である。なお、本明細書において「質感」とは塗色から受ける印象を意味する。
【０００４】
各種の色票や、色名、表色系における刺激値を使用することにより、具体的な塗色を定義すること、即ち客観的に特定することはできるが、塗色とその質感との関係を定義づけすることは不可能である。さらに、塗色には、観察角度によって見え方が異なるメタリック塗色があり、メタリック塗色に関しては塗色を単純に定義づけすることは困難である。
【０００５】
「メタリック色」の用語は、観察角度によって色の見え方が異なる塗色の総称として使われている。観察角度によって色の見え方が変化しない塗色は「ソリッド色」と呼ばれる。メタリック色には、二酸化チタン被覆マイカ顔料のような干渉色を生じるパール顔料を含むパール塗色や、特殊な光輝性顔料を使用してカラーシフト（見る方向による色の変化）するマルチカラーやバイカラーの塗色も含まれる。
【０００６】
従って、例えば、メタリック色が多用される自動車などに関しては、自動車会社のデザイナーと塗料会社のデザイナーとの間で、イメージのすり合わせに多くの工数を要し、時間が掛かっている。
【０００７】
自動車会社のデザイナーから、外装色に求めるイメージが提示されるときには、上記のように抽象的な言葉を補うものとして、雑誌の切り抜きや写真等を組み合わせたイメージボードが提示される。これを受けて、塗料会社のデザイナーが、塗色から受けるイメージが、提示されたイメージに合うように、過去に提案したり採用された実績があるストックカラーの中から塗色を探したり、新たな塗色を設計したりするのであるが、この作業は、塗料会社のデザイナーのスキルに依存しているのが現状である。
【０００８】
塗色をその質感が判るような２次元マップ上に分類整理できれば、上記したような抽象的に表現されるイメージに合った塗色を選択することが容易になる。さらに複数の塗色を２次元マップに配置することにより、これらの塗色群の質感を把握することができる。
【０００９】
例えば、特許文献１には、メタリック塗色を分類整理する方法として、メタリック塗色の代表色をＨｕｅ−Ｔｏｎｅ値として計算し、公知のＨｕｅ−Ｔｏｎｅチャート上にメタリック塗色を分類整理する方法が開示されている。
【００１０】
また、特許文献２には、メタリック塗色の金属感、ヌケ感などの質感を、塗色の測色値から特定の関数を使用して得られた評価値によって定量化する方法が開示されている。
【先行技術文献】
【特許文献】
【００１１】
【特許文献１】特開平１１−２１１５６９号公報
【特許文献２】特開２００３−２７９４１３号公報
【発明の概要】
【発明が解決しようとする課題】
【００１２】
しかし、特許文献１に開示された方法では、色の見え方については正確に分類することはできるが、塗色とその質感との関係を示すことはできない。
【００１３】
また、特許文献２は、メタリック塗色の特定の質感を評価値によって定量化して、比較検討することは可能であるが、複数の塗色をその質感によって分類整理することはできない。
【００１４】
塗色開発の現場では、塗色の質感を表すために、例えば、金属感、深み感、透明感、キラキラ感、ヌケ感、緻密感・・・などという言葉がよく使われる。また、様々な軸を用いて塗色を評価する試みは常に行なわれており、上記の金属感等の表現に加えて、軽量感、重厚感、ソリッド感、高級感、リッチ、スポーティ、テクニカル、フェミニン・・・等、人間の感覚を表現する言葉は尽きないので、質感を表わす言葉は追加され続けている。従って、質感に応じて色を整理分類することがますます重要になっている。
【００１５】
従って、本発明の目的は、複数の塗色をそれらの質感が容易にわかるように配置した塗色の質感マップ、その作成方法、作成プログラム、作成システム及びデータ構造が記録されたコンピュータ読取可能な記録媒体を提供することにある。
【課題を解決するための手段】
【００１６】
本発明に係る塗色の質感マップのデータ構造が記録されたコンピュータ読取可能な記録媒体は、塗色の質感マップのデータが記録されたコンピュータ読取可能な記録媒体であって、前記データの構造が、多角度分光光度計による分光反射率を演算装置が演算することにより得られるもので、塗色の色及び質感を表現し得る２つのパラメータを２つの座標軸とする２次元平面上に、複数の塗色を配置した塗色の質感マップを作成するためのデータ構造であり、前記２次元平面上の座標を表す２つの前記パラメータの値と、塗色の色を特定する情報とが対応するように構成され、前記演算装置によって求められる前記パラメータの値が、前記演算装置が、記録装置に記録された、複数の前記塗色の各々に関して測定された複数の受光角度における前記分光反射率を用いて少なくとも３つの特徴量を求め、前記演算装置が、少なくとも３つの前記特徴量を含むデータ群を主成分分析し、前記特徴量の１次式である第１主成分及び第２主成分を求め、前記演算装置が、複数の前記塗色の各々に関して求めた、前記第１主成分及び第２主成分の値であり、前記特徴量が、ＩＶ値、ＳＶ値、ＦＦ値、ｃＦＦ値、メタル感指数、深み感指数、鮮明度からなる群の中から選択される何れかであり、前記ＩＶ値が、偏角が１５度の方向から測定した分光反射率から求めたＸＹＺ表色系におけるＹ値であり、前記ＳＶ値が、偏角が４５度の方向から測定した分光反射率から求めたＸＹＺ表色系におけるＹ値であり、前記ＦＦ値が、偏角が１５度の方向から測定した分光反射率から求めたＸＹＺ表色系におけるＹ値をＹ15とし、偏角が４５度の方向から測定した分光反射率から求めたＸＹＺ表色系におけるＹ値をＹ45として、２×（Ｙ15−Ｙ45）／（Ｙ15＋Ｙ45）によって求められ、前記ｃＦＦ値が、偏角が１５度の方向から測定した分光反射率から求めたＬ*ｃ*ｈ表色系におけるｃ*値をｃ*15とし、偏角が４５度の方向から測定した分光反射率から求めたＬ*ｃ*ｈ表色系におけるｃ*値をｃ*45として、２×（ｃ*15−ｃ*45）／（ｃ*15＋ｃ*45）によって求められ、前記メタル感指数が、前記Ｙ15及びＦＦから、Ｙ15×ＦＦ２によって求められ、前記深み感指数が、代表角度での分光反射率から求めたＬ*ｃ*ｈ表色系におけるＬ*値及びｃ*値をそれぞれＬ*R及びｃ*Rとし、これらを用いてｃ＊R／Ｌ＊Rによって求められ、前記鮮明度が、前記Ｌ*R及びｃ*Rを用いてｓｑｒｔ（Ｌ＊R2＋ｃ＊R2）によって求められることを特徴としている。
【発明の効果】
【００１７】
本発明によれば、ソリッド色に限らずメタリック色も含めて複数の塗色を、塗色の色及び質感を表現し得る２つのパラメータを座標軸として平面上に配置することができ、塗色を整理分類することができる。
【００１８】
本発明に係る塗色の質感マップによって、色の抽象的な用語による表現から受ける印象を可視化することができる。即ち、顧客が所望する色が抽象的な言葉で表現された場合でも、塗料会社のデザイナーは、本発明に係る質感マップを用いることによって色を容易に特定することができる。従って、本発明に係る塗色の質感マップは、色に携わる者の間での色情報の伝達に有用である。
【００１９】
自動車の外装色については、車種別、地域別に市場調査が行なわれており、本発明に係る塗色の質感マップは、塗色の分布によって特徴を表現することができるので、市場調査結果の評価において有効な資料となる。
【図面の簡単な説明】
【００２０】
【図１】本発明の実施の形態に係る塗色の質感マップ作成システムの概略構成を示すブロック図である。
【図２】本発明の実施の形態に係る塗色の質感マップ作成システムの動作を示すフローチャートである。
【図３】オートカラーズ２００４年度版の塗色に本発明を適用して作成した塗色の質感マップの輝度画像である。
【図４】オートカラーズ２００４年度版の塗色に本発明を適用して作成した塗色の質感マップの輝度画像である。
【図５】日本の自動車メーカーが２００４年度に生産した自動車に適用された色に本発明を適用して作成した塗色の質感マップの輝度画像である。
【図６】欧州の自動車メーカーが自動車に採用している色に本発明を適用して作成した塗色の質感マップの輝度画像である。
【図７】表１に示した順位を縦軸、横軸としてプロットしたグラフである。
【図８】表２に示した順位を縦軸、横軸としてプロットしたグラフである。
【発明を実施するための形態】
【００２１】
以下に本発明の実施の形態に関して図面を参照して詳細に説明する。図１は、本発明の実施の形態に係る塗色の質感マップ作成システムの概略構成を示すブロック図である。本質感マップ作成システムは、演算装置１、分光光度計２、及び画像提示装置３を備えている。
【００２２】
演算装置１は、各部を制御し、後述する所定の処理を実行するＣＰＵ１１と、メモリ１２と、記録部１３と、外部からの指示を受け付ける操作部１４と、操作部１４及び外部機器とのインタフェースの役割をするインタフェース部（以下、Ｉ／Ｆ部と記す）１５と、各部の間でデータを伝送するためのデータバス１６とを備えている。演算装置１は、Ｉ／Ｆ部１５を介して、分光光度計２によって測定された分光反射率を取得する。図１には、分光光度計２の測定対象である、表面が塗装された被測定物（塗膜とも記す）４も示している。画像提示装置３は、例えばフルカラー表示が可能なディスプレイやフルカラー印刷が可能なプリンタであり、後述するように、ＣＰＵ１１は作成した質感マップをＩ／Ｆ部１５を介して画像提示装置３に伝送し、カラー画像として提示（例えば、カラー表示、カラー印刷）する。
【００２３】
図２は、図１に示した質感マップ作成システムの動作を示すフローチャートである。以下、図２に示したフローチャートに基づいて、質感マップ作成システムの動作について説明する。
【００２４】
以下の説明においては、特に断らない限りＣＰＵ１１が行う処理として説明する。ＣＰＵ１１は、メモリ１２をワーク領域として使用して、必要なデータ（設定値、処理途中のデータなど）を一時記憶し、記録部１３に計算結果などの長期保存するデータを適宜記録する。また、予め、色を特定するための情報であるカラーコードと、色データであるＲＧＢデータとが対応させて記録部１３に記録されており、また、画像提示装置１３がカラーディスプレイであるとする。
【００２５】
ステップＳ１において、作業者が対象とする塗膜を準備する。塗膜は、実際に塗板を所定の塗料を用いて塗装して作成してもよいが、ここでは公知の色見本を用いることとする。
【００２６】
ステップＳ２において、ステップＳ１で準備された各塗膜について、分光光度計２を用いて、分光反射率が測定される。メタリック塗色は、上記したように観察角度によって色の見え方が変化するので、ここでは、複数の観察角度で測定した分光反射率を使用する。即ち、塗膜表面に対して４５度（塗膜表面に垂直な面内の角度）の方向から照明光を照射し、正反射光の方向からの偏角（塗膜表面に垂直な面内の角度）として、１５度、２５度、４５度、７５度、１１０度の５つの角度方向を観察角度（受光角度とも記す）として分光反射率を測定する。分光光度計には、例えばＸ−Ｒｉｔｅ社製の多角度分光光度計ＭＡ６８ＩＩを使用することができる。
【００２７】
測定された分光反射率のデータは、Ｉ／Ｆ部１５を介して演算装置１に伝送され、塗色の色および測定時の偏角を表す情報と対応させて記録部１３に記録される。ここでは、公知の色見本を使用するので、色を表す情報は、例えば操作部１４からカラーコードとして入力される。また、偏角を表す情報は、角度の値をデータとして記録しても良いが、５種類の角度を区別するコードとして記録されてもよい。なお、本実施の形態においては、ソリッド色とメタリック色とを区別せずに同様に処理する。
【００２８】
ステップＳ３において、ステップＳ２で取得した分光反射率を用いて、以下に示す各特徴量を各塗色について計算し、塗色を表す情報と対応させて計算結果を記録部１３に記録する。
【００２９】
まず、１５度の分光反射率からＸＹＺ表色系におけるＹ値（明度）（以下、Ｙ15と記す）を計算して特徴量ＩＶとし、４５度の分光反射率からＸＹＺ表色系におけるＹ値（以下、Ｙ45と記す）を計算して特徴量ＳＶとする。また、Ｙ15及びＹ45を用いて２×（Ｙ15−Ｙ45）／（Ｙ15＋Ｙ45）を計算して特徴量ＦＦとする。ＦＦは、メタリック色において観察方向によって明度が変化する程度を表す指標である。また、Ｙ15×ＦＦ２によって、特徴量Ｍｅｔａｌ（メタル感指数とも記す）を計算する。
【００３０】
次に、１５度の分光反射率から計算したＬ*ｃ*ｈ表色系におけるｃ*値（彩度）をｃ*15とし、４５度の分光反射率から計算したＬ*ｃ*ｈ表色系におけるｃ*値をｃ*45として、２×（ｃ*15−ｃ*45）／（ｃ*15＋ｃ*45）を計算して特徴量ｃＦＦとする。ｃＦＦは、上記した明度を彩度に置き換えた指標であり、観察方向によって彩度が変化する程度を表す。
【００３１】
次に、メタリック塗色の代表色に対応する代表角度Ｄを求める。メタリック塗色は上記のように観察角度によって色の見え方が変化するので、メタリック塗色を代表する色を決めて、その色が観察できる角度である代表角度Ｄを測色値を用いて求める方法が知られている（特開平１１−２１１５６９参照）。ここでは、代表角度Ｄを、ステップＳ２で測定した２５度及び４５度の分光反射率から計算したＬ*値、ｃ*値を用いて次の式１で求める。
Ｄ＝０．０６１×ｓｑｒｔ（Ｌ*25２＋ｃ*25２）＋０．２５３×ｓｑｒｔ（Ｌ*45２＋ｃ*45２）＋１５．１０５・・・（式１）
ここで、ｓｑｒｔは平方根を意味する。なお、代表角度Ｄを求める方法は特開平１０−１００４５に開示されており、公知であるので説明を省略する。
【００３２】
さらに、５つの角度（１５度、２５度、４５度、７５度、１１０度）での分光反射率しか測定されていないので、代表角度Ｄがこれら以外の角度である場合、代表角度Ｄの分光反射率Ｒを次のように計算する（特開平１０−１００４５参照）。
１０≦Ｄ＜２５であれば、Ｒ＝ｅｘｐ（ａ１×Ｄ＋ｂ１）
２５≦Ｄ＜７５であれば、Ｒ＝ｅｘｐ（ａ２×Ｄ２＋ｂ２×Ｄ＋ｃ２）
７５≦Ｄ≦１１０であれば、Ｒ＝ａ３×Ｄ＋ｂ３
ここで、係数ａ１〜ａ３、ｂ１〜ｂ３、ｃ２は、色毎に最小二乗法によって求められた回帰係数である。
【００３３】
このようにして求められた代表角度Ｄの分光反射率Ｒに基づいてＬ*ｃ*ｈ表色系におけるＬ*値、ｃ*値を計算し、得られたＬ*R、ｃ*Rを用いてｃ＊R／Ｌ＊Rによって、特徴量Ｄｅｅｐｎｅｓｓ（深み感指数とも記す）を求め、ｓｑｒｔ（Ｌ＊R２＋ｃ＊R２）によって、特徴量ｓｅｎｍｅｉ（鮮明度とも記す）を求める。
【００３４】
以上によって、各塗色に関して、７種類の特徴量ＩＶ、ＳＶ、ＦＦ、ｃＦＦ、Ｍｅｔａｌ、Ｄｅｅｐｎｅｓｓ、ｓｅｎｍｅｉを求め、塗色を表す情報（カラーコード）と対応させて記録部１３に記録する。
【００３５】
ステップＳ４において、ステップＳ３で求めた各塗色に関する７つの特徴量データの集合を対象として主成分分析を行い、第１主成分及び第２主成分の式を求める。このとき、上記したように分光反射率から計算して求めた特徴量は、各々単位が異なるので、主成分分析を行なう前に、次式を用いて特徴量毎にデータの標準化を行う。
ｚij＝（ｐij−ｍj）／ｓj
ここで、下付き添え字ｊは特徴量の種類を区別するためのものであり、ｐijは標準化する前の特徴量ｊのｉ番目のデータ、ｚijは標準化後の特徴量ｊのｉ番目のデータ、ｍj及びｓjはそれぞれ特徴量ｊの平均値及び標準偏差を表す。なお、主成分分析は公知であるので、結果の一例を示し、主成分分析自体の説明は省略する。
【００３６】
塗色の一例として、（社）日本塗料工業会発行の自動車用色見本帳である“オートカラー”に掲載された塗色及び関西ペイント株式会社が１９９６年以降に開発した自動車外装向け塗色から合計３４００色を選択し、それらについて分光反射率を、多角度分光光度計（Ｘ−Ｒｉｔｅ社製のＭＡ６８ＩＩ）で測定し、上記の特徴量を算出して主成分分析を行なった。その結果、式２及び式３で表される第１主成分Ａ１及び第２主成分Ａ２が得られた。
Ａ１＝−０．８０３＋０．２６７×ＩＶ＋０．２５３×ＳＶ−０．０８４×ＦＦ−０．１４５×ｃＦＦ＋０．１８８×Ｍｅｔａｌ−０．１９７×Ｄｅｅｐｎｅｓｓ＋０．２６×ｓｅｎｍｅｉ・・・（式２）
Ａ２＝−０．９４７＋０．２０４×ＩＶ−０．１８９×ＳＶ＋０．４１５×ＦＦ＋０．２５６×ｃＦＦ＋０．３２１×Ｍｅｔａｌ−０．１６８×Ｄｅｅｐｎｅｓｓ＋０．１２８×ｓｅｎｍｅｉ・・・（式３）
上記の第１及び第２主成分の累積寄与率は６７．１％であった。従って、第１及び第２主成分によって、様々な質感をもつメタリック塗色を分類整理できると考えられる。
【００３７】
また、第１及び第２主成分の式（式２、式３）は、固有ベクトルや主成分式の係数から質感を表す関係式であると考えられる。後述するように、この第１主成分Ａ１は重量感を表し、マイナス値がＨｅａｖｙ感を表し、プラス値がＬｉｇｈｔ感を表す。また、第２主成分Ａ２は陰影感を表し、マイナス値がＳｏｌｉｄ感を表し、プラス値がＭｅｔａｌｌｉｃ感を表す。
【００３８】
ステップＳ５において、ステップＳ４で決定した第１及び第２主成分を座標軸とする平面（マッピング平面とも記す）上に、各塗色のコンピュータグラフィック画像（以下、ＣＧ画像と記す）を描画する。即ち、各塗色の７つの特徴量データを用いて、第１及び第２主成分の値を求めることによって、各塗色に対応するマッピング平面上の位置（座標）を決定する。次に、記録部１３から、予め対応させて記録されているカラーコード及びＲＧＢデータを、各塗色のカラーコードで検索して各塗色に対応するＲＧＢデータを取得する。そして、取得したＲＧＢデータを用いて、カラーディスプレイ上で、所定の大きさの図形が、決定した位置に描画されるようにＣＧデータを生成する。
【００３９】
以上によって、重量感および陰影感を座標軸とする平面上に複数の塗色が配置された質感マップのＣＧデータを生成し、カラーディスプレイに表示することができる。なお、画像提示装置３は、ディスプレイに限らず、プリンタなどの印刷装置であってもよい。
【００４０】
上記した方法で生成され、画像提示装置３に提示された画像データの一例を、図３及び図４に示す。図３は、上記したオートカラーの塗色をマッピング平面にフルカラーでプロットした「質感マップ」の輝度画像である。図４は、図３の質感マップ上に、質感を表現する言葉（深み感、リッチ、高級感など）と、その言葉で表現され得る領域を囲む枠とを重ねて表示した質感マップである。ここで、第１及び第２主成分は上記の式２及び式３を用いて計算し、横軸が第１主成分Ａ１であり、縦軸が第２主成分Ａ２である。尚、各塗色に対応する四角形領域内は、ソリッド色に関しては単一色で描画されているが、メタリック色に関しては、ハイライト部分を含み、上下方向にグラデーションを有するように描画されている（後述する図５及び図６も同じ）。
【００４１】
図３及び図４から分かるように、原点を挟んで、左側に行くほどＨｅａｖｙ感が強くなり、右側に行くほどＬｉｇｈｔ感が強くなり、下側に行くほどＳｏｌｉｄ感が強くなり、上側に行くほどＭｅｔａｌｌｉｃ感が強くなる。
【００４２】
このように、マップに複数の塗色を配置することによって、図４に示したように、類似する印象を受ける塗色を相互に近接させて配置することができ、塗色から受ける印象をグループ化することができる。さらに、マップ上に各塗色を表す微小な画像を配置しているので、印象が可視化されて、デザイナー間の情報伝達に有用である。即ち、顧客が所望する色が抽象的な言葉で表現された場合でも、塗料会社のデザイナーは、本発明に係る質感マップを見れば色を容易に特定することができる。
【００４３】
図５及び図６は、上記とは異なる塗色の集合を対象として、同様に生成した質感マップである。図５は、日本の自動車メーカーが２００４年度に生産した自動車に適用された色を用いて生成した質感マップであり、図６は、欧州の自動車メーカーが２０００〜２００５年度に自動車に採用した色を用いて生成した質感マップである。なお、図５及び図６は、図３及び図４と同様にフルカラーの質感マップの輝度画像である。
【００４４】
図５及び図６において、日本車設定色（日本市場向けの自動車の外装に使用される色）に多い質感の領域を破線の四角で表し、欧州車設定色（欧州市場向けの自動車の外装に使用される色）に多い質感の領域を実線の四角で表している。これらから、日本車、欧州車にそれぞれ多い色域、少ない色域を容易に把握することができる。従って、本発明に係る質感マップは、市場調査の解析などに使用することもできる。
【００４５】
（主成分と質感との関係）
上記の第１及び第２主成分Ａ１、Ａ２と、質感（塗色から受ける印象）の官能評価結果との関係を検証した結果を以下に示す。
【００４６】
上記したオートカラーの塗色の中から、第１主成分Ａ１の値がばらつく２０色（符号Ａ〜Ｔで示す）をサンプルとして抽出し、複数の観察者（塗料会社のデザイナー）が、Ｈｅａｖｙ−Ｌｉｇｈｔ感にしたがって、目視によって順位を付けた。具体的には、Ｌｉｇｈｔ感が強いものから昇順に順位を付けた。各サンプル塗色の第１主成分の値、その順位（大きいものから昇順）、及びＨｅａｖｙ−Ｌｉｇｈｔ感の目視による順位を表１に示す。
【００４７】
【表１】
2011227098.tif 000003
さらに、第１主成分の順位と、目視順位との関係をスピアマンの順位相関係数ｒｓ（式４）を使用して検定した。（「新版官能検査ハンドブック、日科技連、1979」参照）
ｒｓ＝１−６×Σｄｉ2／（ｎ3−ｎ）・・・（式４）
ここで、ｄiは各塗色の第１主成分の順位と目視順位との差、ｎはサンプル数、Σはｉについての和（塗色についての和）を計算することを意味する。
【００４８】
その結果、式４の相関係数ｒｓは０．９６となって、表１および図７に示した第１主成分の順位及びＨｅａｖｙ−Ｌｉｇｈｔ感の目視順位には高い相関があることが分かった。両者の順位が高い相関を有することは、表１に示した順位を縦軸、横軸としてプロットしたグラフである図７からも分かる。
【００４９】
同様に、上記と同じ２０色（Ａ〜Ｔ）を用いて、第２主成分とＳｏｌｉｄ−Ｍｅｔａｌｌｉｃ感との関係について検証を行なった。Ｓｏｌｉｄ−Ｍｅｔａｌｌｉｃ感にしたがって、目視によって順位を付けた。具体的には、Ｍｅｔａｌｌｉｃ感が強いものから昇順に順位を付けた。各サンプル塗色の第２主成分の値、その順位（大きいものから昇順）、及びＳｏｌｉｄ−Ｍｅｔａｌｌｉｃ感の目視による順位を表２に示す。
【００５０】
【表２】
2011227098.tif 000004
第２主成分の順位及びＳｏｌｉｄ−Ｍｅｔａｌｌｉｃ感の目視順位の相関係数は０．９８となり、両者に高い相関があることが分かった。両者の順位が高い相関を有することは、表２に示した順位を縦軸、横軸としてプロットしたグラフである図８からも分かる。
【００５１】
これらのことから、上記した７つの特徴量を用いて主成分分析によって求めた第１主成分及び第２主成分の式（式２、式３）は、それぞれ重量感及び陰影感を定量的に表す指標として適しているといえる。
【００５２】
以上では、特定の実施の形態を用いて本発明を説明し、特定の塗色の集合に関して本発明を適用した結果を示したが、本発明は上記した実施の形態に限定されず、種々変更して実施することができ、様々な塗色の集合に対して適用することができる。
【００５３】
例えば、上記した７つの特徴量を全て使用しなくてもよく、そのうちの一部、例えば寄与係数（第１及び第２主成分の式の係数）の大きいものから３つの特徴量を使用して、上記と同様に質感マップを生成してもよい。従って、上記した５つの偏角を成す方向のうち少なくとも２つの方向から分光反射率を測定する必要はあるが、必ずしも全ての方向から分光反射率を測定しなくてもよい。また、上記した特徴量の少なくとも３つに加えて、上記以外の特徴量を使用してもよい。
【００５４】
また、各特徴量は、上記で定義されたものに限定されない。例えば、上記ではＦＦを、偏角が１５度及び４５度の方向で測定した分光反射率を用いて求める場合を説明したが、これら以外の角度で測定した分光反射率を用いて求めてもよい。また、上記では代表角度Ｄを、偏角が２５度及び４５度の方向で測定した分光反射率を用いて求める場合を説明したが、これら以外の偏角で測定した分光反射率を用いて求めてもよい。特許文献２に開示されているように、代表角度Ｄを、ハイライト側及びシェード側で測定した分光反射率を用いて求めてもよい。
【００５５】
また、質感マップをカラーディスプレイに表示する場合を説明したが、これに限定されず、カラープリンタを用いて紙や樹脂フィルムなどに印刷して質感マップを作成してもよい。
【００５６】
また、質感マップを、ＣＧデータやカラー画像のビットマップデータとして、コンピュータ読取可能な記録媒体に記録してもよい。また、各塗色に関して求めた第１及び第２主成分の値を、塗色の色を特定する情報（カラーコードなど）と対応させて記録しておけば、別に提供される、塗色の色を特定する情報（カラーコードなど）に対応する色データ（ＲＧＢデータなど）を用いて、塗色の質感マップを作成することができる。
【００５７】
また、色を特定する情報の代わりに、図２のステップＳ２において、各塗膜の色を測色計を用いて測色して記録し、その測定データと対応させて、各塗色に関して求めた第１及び第２主成分の値を記録しておいてもよい。この場合、塗色の色を特定する情報（カラーコードなど）に対応する色データ（ＲＧＢデータなど）が別に提供されなくても、塗色の質感マップを作成することができる。
【００５８】
また、各塗色を配置すべき２次元平面上の座標を求めた後、コンピュータグラフィック技術を用いずに、紙や樹脂フィルムなどの平面上に座標軸を配置し、各塗色の座標値で指定される位置に所定の大きさで、塗色を表す色を配置（例えば印刷、描画）してもよい。
【符号の説明】
【００５９】
１    演算装置
２    分光光度計
３    画像提示装置
４    被測定物
１１  ＣＰＵ
１２  メモリ
１３  記録部
１４  操作部
１５  インタフェース部（Ｉ／Ｆ部）
１６  バス
【図１】
2011227098.tif 000005
【図２】
2011227098.tif 000006
【図３】
2011227098.tif 000007
【図４】
2011227098.tif 000008
【図５】
2011227098.tif 000009
【図６】
2011227098.tif 000010
【図７】
2011227098.tif 000011
【図８】
2011227098.tif 000012